(57)【要約】【課題】外部ネットワークを介して取得されたデータの送速度を向上させることが可能な映像システム、および映像機器を提供する。【解決手段】この映像システム１００は、ＢＤプレイヤー２と、ＴＶ１とを備え、ＢＤプレイヤー２とＴＶ１とは、音声データおよび映像データを伝送可能なＴＭＤＳ伝送路５１〜５４と、インターネットを介して取得されたデータを伝送可能なＨＥＣ伝送路５５とを含むＨＤＭＩ規格に対応したＨＤＭＩ通信部２２および１２を介して接続されており、ＢＤプレイヤー２は、インターネットを介して取得したデータをＴＶ１に伝送する際に、インターネットを介して取得されたデータの一部をＨＥＣ伝送路５５で伝送するとともに、一部以外のデータをＴＭＤＳ伝送路５１〜５４で伝送するように構成されている。【選択図】図４
2012235241.tif 000002
【特許請求の範囲】
【請求項１】
第１映像機器と、
第２映像機器とを備え、
前記第１映像機器と前記第２映像機器とは、音声データおよび映像データを伝送可能な第１伝送路と、外部ネットワークを介して取得されたデータを伝送可能な第２伝送路とを含むインターフェース規格に対応した通信部を介して接続されており、
前記第１映像機器は、前記外部ネットワークを介して取得したデータを前記第２映像機器に伝送する際に、前記外部ネットワークを介して取得されたデータの一部を前記第２伝送路で伝送するとともに、前記一部以外のデータを前記第１伝送路で伝送するように構成されている、映像システム。
【請求項２】
前記第１映像機器は、前記外部ネットワークを介して取得したデータを前記第２映像機器に伝送する際に、前記外部ネットワークを介して取得されたデータの一部を前記第２伝送路で伝送するとともに、前記一部以外のデータを前記第１伝送路で前記音声データおよび前記映像データと並行して伝送するように構成されている、請求項１に記載の映像システム。
【請求項３】
前記第１映像機器は、前記外部ネットワークを介して取得したデータを前記第２映像機器に伝送する際に、前記外部ネットワークを介して取得されたデータの一部を前記第２伝送路で伝送するとともに、前記一部以外のデータを前記第１伝送路のブランキング期間で伝送するように構成されている、請求項２に記載の映像システム。
【請求項４】
前記外部ネットワークを介して取得されたデータは、前記第２映像機器のプログラムの更新に関するデータを含み、前記第１映像機器は、前記第２映像機器に前記外部ネットワークを介して取得したデータの一部を前記第２伝送路で伝送するとともに、前記一部以外のデータを前記第１伝送路で伝送するように構成されている、請求項１〜３のいずれか１項に記載の映像システム。
【請求項５】
前記第１伝送路は、前記第２伝送路よりも速い速度でデータを伝送可能に構成されており、
前記第１映像機器は、前記外部ネットワークを介して取得したデータを前記第２映像機器に伝送する際に、前記外部ネットワークを介して取得されたデータの一部を前記第２伝送路で伝送するとともに、前記一部以外のデータを前記第１伝送路で伝送するように構成されている、請求項１〜４のいずれか１項に記載の映像システム。
【請求項６】
前記インターフェース規格は、ＨＤＭＩ規格であり、
前記第１伝送路は、複数本の伝送ラインを含み、
前記第２伝送路は、イーサネット規格に対応しており、前記外部ネットワークを介して取得されたデータを伝送可能に構成されている、請求項１〜５のいずれか１項に記載の映像システム。
【請求項７】
音声データおよび映像データを伝送可能な第１伝送路と、外部ネットワークを介して取得されたデータを伝送可能な第２伝送路とを含むインターフェース規格に対応した通信部と、
前記外部ネットワークを介して取得したデータを他の映像機器に伝送する際に、前記外部ネットワークを介して取得されたデータの一部を前記第２伝送路で伝送するとともに、前記一部以外のデータを前記第１伝送路で伝送するように制御する制御部とを備える、映像機器。
【発明の詳細な説明】
【技術分野】
【０００１】
この発明は、映像システムおよび映像機器に関し、特に、音声データおよび映像データを伝送可能な伝送路を含むインターフェース規格に対応した映像機器を備えた映像システム、および映像機器に関する。
【背景技術】
【０００２】
従来、音声データおよび映像データを伝送可能な伝送路を含むインターフェース規格に対応した映像機器を備えたＡＶ（オーディオビジュアル）システムが知られている（たとえば、特許文献１参照）。
【０００３】
上記特許文献１には、ディスクレコーダ（第１映像機器）と、テレビ受信機（第２映像機器）とを備えたＡＶシステム（映像システム）が開示されている。このＡＶシステムでは、ディスクレコーダとテレビ受信機とは、音声データおよび映像データを伝送可能なＴＭＤＳ（Ｔｒａｎｓｉｔｉｏｎ  Ｍｉｎｉｍｉｚｅｄ  Ｄｉｆｆｅｒｅｎｔｉａｌ  ｓｉｇｎａｌ）チャンネル（第１伝送路）と、イーサネット信号（外部ネットワークを介して取得されたデータ）を伝送可能なリザーブラインおよびＨＰＤ（Ｈｏｔ  Ｐｌｕｇ  Ｄｅｔｅｃｔ）ライン（第２伝送路）とを含むＨＤＭＩ（Ｈｉｇｈ  Ｄｅｆｉｎｉｔｉｏｎ  Ｍｕｌｔｉｍｅｄｉａ  Ｉｎｔｅｒｆａｃｅ（登録商標））規格（インターフェース規格）に対応した通信部を介して接続されている。
【先行技術文献】
【特許文献】
【０００４】
【特許文献１】特開２０１０−４５１０号公報
【発明の概要】
【発明が解決しようとする課題】
【０００５】
しかしながら、上記特許文献１のＡＶシステム（映像システム）では、イーサネット信号（外部ネットワークを介して取得されたデータ）をリザーブラインおよびＨＰＤライン（第２伝送路）によりディスクレコーダ（第１映像機器）からテレビ受信機（第２映像機器）に伝送可能である一方、イーサネット信号の伝送速度を向上させることができないという問題点がある。
【０００６】
この発明は、上記のような課題を解決するためになされたものであり、この発明の1つの目的は、外部ネットワークを介して取得されたデータの伝送速度を向上させることが可能な映像システム、および映像機器を提供することである。
【課題を解決するための手段および発明の効果】
【０００７】
この発明の第１の局面による映像システムは、第１映像機器と、第２映像機器とを備え、第１映像機器と第２映像機器とは、音声データおよび映像データを伝送可能な第１伝送路と、外部ネットワークを介して取得されたデータを伝送可能な第２伝送路とを含むインターフェース規格に対応した通信部を介して接続されており、第１映像機器は、外部ネットワークを介して取得したデータを第２映像機器に伝送する際に、外部ネットワークを介して取得されたデータの一部を第２伝送路で伝送するとともに、上記一部以外のデータを第１伝送路で伝送するように構成されている。
【０００８】
この第１の局面による映像システムでは、第１映像機器が、外部ネットワークを介して取得したデータを第２映像機器に伝送する際に、外部ネットワークを介して取得したデータの一部を第２伝送路で伝送するとともに、上記一部以外のデータを第１伝送路で伝送するように構成することによって、外部ネットワークを介して取得されたデータを第２伝送路と第１伝送路とに分散して伝送することができるので、第２伝送路のみで伝送する場合に比べて、外部ネットワークを介して取得されたデータの伝送速度を向上させることができる。
【０００９】
この第１の局面による映像システムにおいて、好ましくは、第１映像機器は、外部ネットワークを介して取得したデータを第２映像機器に伝送する際に、外部ネットワークを介して取得したデータの一部を第２伝送路で伝送するとともに、上記一部以外のデータを第１伝送路で音声データおよび映像データと並行して伝送するように構成されている。このように構成すれば、第１伝送路で音声データおよび映像データを伝送している場合でも、外部ネットワークを介して取得されたデータを第２伝送路と第１伝送路とに分散して伝送することができるので、外部ネットワークを介して取得されたデータの伝送速度を向上させることができる。
【００１０】
この場合、好ましくは、第１映像機器は、外部ネットワークを介して取得したデータを第２映像機器に伝送する際に、外部ネットワークを介して取得したデータの一部を第２伝送路で伝送するとともに、上記一部以外のデータを第１伝送路のブランキング期間で伝送するように構成されている。このように構成すれば、第１伝送路で音声データおよび映像データが伝送されていないブランキング期間に第１伝送路を利用することができるので、第１伝送路で音声データおよび映像データを伝送している場合でも、第１伝送路により、容易に、音声データおよび映像データと並行して上記一部以外のデータを伝送することができる。
【００１１】
この第１の局面による映像システムにおいて、好ましくは、外部ネットワークを介して取得されたデータは、第２映像機器のプログラムの更新に関するデータを含み、第１映像機器は、第２映像機器に外部ネットワークを介して取得したデータの一部を第２伝送路で伝送するとともに、上記一部以外のデータを第１伝送路で伝送するように構成されている。このように構成すれば、第１映像機器で外部ネットワークを介して取得された第２映像機器のプログラムの更新に関するデータを、第１伝送路および第２伝送路の両方による伝送により高い伝送速度で速やかに第２映像機器に伝送することができる。
【００１２】
この第１の局面による映像システムにおいて、好ましくは、第１伝送路は、第２伝送路よりも速い速度でデータを伝送可能に構成されており、第１映像機器は、外部ネットワークを介して取得したデータを第２映像機器に伝送する際に、外部ネットワークを介して取得したデータの一部を第２伝送路で伝送するとともに、上記一部以外のデータを第１伝送路で伝送するように構成されている。このように構成すれば、外部ネットワークを介して取得されたデータを伝送する際に、第２伝送路と、第２伝送路よりも速い速度でデータを伝送可能な第１伝送路とに分散して伝送することができるので、伝送速度を効果的に向上させることができる。
【００１３】
この第１の局面による映像システムにおいて、好ましくは、インターフェース規格は、ＨＤＭＩ規格であり、第１伝送路は、複数本の伝送ラインを含み、第２伝送路は、イーサネット規格に対応しており、外部ネットワークを介して取得されたデータを伝送可能に構成されている。このように構成すれば、ＨＤＭＩ規格に対応した第１映像機器と第２映像機器との間で、音声データ、映像データのみならずイーサネット規格に対応したデータを容易に伝送することができるとともに、外部ネットワークを介して取得されたイーサネット規格に対応したデータの伝送速度を向上させることができる。
【００１４】
この発明の第２の局面による映像機器は、音声データおよび映像データを伝送可能な第１伝送路と、外部ネットワークを介して取得されたデータを伝送可能な第２伝送路とを含むインターフェース規格に対応した通信部と、外部ネットワークを介して取得したデータを他の映像機器に伝送する際に、外部ネットワークを介して取得されたデータの一部を第２伝送路で伝送するとともに、上記一部以外のデータを第１伝送路で伝送するように制御する制御部とを備える。
【００１５】
この第２の局面による映像機器では、外部ネットワークを介して取得したデータを他の映像機器に伝送する際に、外部ネットワークを介して取得したデータの一部を第２伝送路で伝送するとともに、上記一部以外のデータを第１伝送路で伝送するように制御する制御部を設けることによって、外部ネットワークを介して取得されたデータを第２伝送路と第１伝送路とに分散して伝送することができるので、第２伝送路のみで伝送する場合に比べて、外部ネットワークを介して取得されたデータの伝送速度を向上させることができる。
【図面の簡単な説明】
【００１６】
【図１】本発明の一実施形態による映像システムの全体構成を示した概略図である。
【図２】本発明の一実施形態による映像システムのＴＶの構成を示したブロック図である。
【図３】本発明の一実施形態による映像システムのＢＤプレイヤーの構成を示したブロック図である。
【図４】本発明の一実施形態による映像システムのＨＤＭＩ規格の伝送路を説明するための図である。
【図５】本発明の一実施形態による映像システムのＴＭＤＳ伝送路で伝送されるデータの構成を示した図である。
【発明を実施するための形態】
【００１７】
以下、本発明の実施形態を図面に基づいて説明する。
【００１８】
まず、図１を参照して、本発明の実施形態によるネットワークシステム１００の構成について説明する。
【００１９】
本発明の一実施形態による映像システム１００は、図１に示すように、ＴＶ１と、ＢＤ（ブルーレイディスク）プレイヤー２と、レコーダ３と、ＳＴＢ（セットトップボックス）４とにより主として構成されている。なお、ＴＶ１は、本発明の「第２映像機器」の一例であり、ＢＤプレイヤー２は、本発明の「第１映像機器」の一例である。
【００２０】
ＴＶ１は、図２に示すように、制御部１１と、ＨＤＭＩ通信部１２と、ＬＡＮ通信部１３と、チューナ１４と、表示部１５と、音声出力部１６とを備えている。また、ＴＶ１は、図１に示すように、ＨＤＭＩ通信部１２によりケーブル５、６および７を介して、それぞれ、ＢＤプレイヤー２、レコーダ３およびＳＴＢ４に接続されている。なお、ケーブル５〜７は、音声データ、映像データおよびインターネットを介して取得されたデータを伝送可能なＨＤＭＩ規格に対応している。また、ＨＤＭＩ通信部１２は、本発明の「通信部」の一例である。また、インターネットは、本発明の「外部ネットワーク」の一例であり、ＨＤＭＩ規格は、本発明の「インターフェース規格」の一例である。
【００２１】
ＴＶ１の制御部１１は、ＨＤＭＩ通信部１２を介してＢＤプレイヤー２、レコーダ３またはＳＴＢ４から伝送される映像データおよび音声データに基づいて、映像を表示部１５で表示して、音声を音声出力部１６で出力するように制御するように構成されている。また、制御部１１は、チューナ１４を介して受信するテレビジョン信号に基づいて、映像を表示部１５で表示して、音声を音声出力部１６で出力するように制御を行うように構成されている。また、ＴＶ１の制御部１１は、ＴＶ１の各部の制御を行うように構成されている。
【００２２】
また、ＴＶ１の制御部１１は、ＨＤＭＩ通信部を介してＢＤプレイヤー２から伝送されるインターネットを介して取得されたデータを受信するように構成されている。また、制御部１１は、ＨＤＭＩ通信部１２を介してＢＤプレイヤー２から伝送されるインターネットを介して取得されたデータが映像に関するデータを含む場合に、受信したデータに基づいて、映像を表示部１５で表示して、音声を音声出力部１６で出力するように制御するように構成されている。たとえば、制御部１１は、ＢＤプレイヤー２で再生される映像を表示させるとともに、インターネットを介して取得されたストリーミング再生される映像をワイプ画面で表示させる制御を行う。また、制御部１１は、ＨＤＭＩ通信部１２を介してＢＤプレイヤー２から伝送されるインターネットを介して取得されたデータがＴＶ１のプログラムの更新に関するデータを含む場合に、受信したデータに基づいて、ＴＶ１のプログラムを更新するように構成されている。
【００２３】
ここで、本実施形態では、ＴＶ１の制御部１１は、ＨＤＭＩ通信部１２を介してＢＤプレイヤー２から伝送されるインターネットを介して取得されたデータを受信する際に、後述するＨＥＣ伝送路５５で伝送されるデータの一部と後述する複数のＴＭＤＳ伝送路５１〜５４で伝送されたデータの残りの一部とを合せて受信するように構成されている。
【００２４】
ＢＤプレイヤー２は、図３に示すように、制御部２１と、ＨＤＭＩ通信部２２と、ＬＡＮ通信部２３と、ＢＤドライブ２４とを備えている。ＢＤプレイヤー２は、図１に示すように、ＨＤＭＩ通信部２２によりケーブル５を介してＴＶ１に接続されている。また、ＢＤプレイヤー２は、ＬＡＮ通信部２３を介してインターネットに接続されている。なお、ＨＤＭＩ通信部２２は、本発明の「通信部」の一例である。
【００２５】
ＢＤプレイヤー２の制御部２１は、ＢＤドライブ２４によりブルーレイディスクから読み取ったデータに基づいて、映像データおよび音声データをＨＤＭＩ通信部２２を介してＴＶ１に後述するＴＭＤＳ伝送路５１〜５４を用いて伝送する制御を行うように構成されている。また、制御部２１は、ＬＡＮ通信部２３によりインターネットを介してデータを取得するように構成されている。また、制御部２１は、インターネットを介して取得したデータをＨＤＭＩ通信部２２を介してＴＶ１に伝送する制御を行うように構成されている。インターネットを介して取得したデータは、たとえば、ＴＶ１のプログラムの更新に関するデータ等が含まれていたり、映像に関するデータ等が含まれていたりする。
【００２６】
また、本実施形態では、ＢＤプレイヤー２の制御部２１は、ＬＡＮ通信部１２によりインターネットを介して取得したデータをＴＶ１に伝送する際に、データの一部を後述するＨＥＣ伝送路５５で送信するとともに、ＨＥＣ伝送路５５で伝送したデータより少ない量の残りのデータを後述する複数のＴＭＤＳ伝送路５１〜５４で送信するように構成されている。たとえば、インターネットを介して取得されたデータは、ＨＥＣ伝送路５５とＴＭＤＳ伝送路５１〜５４とで、８：２のデータ量の割合で伝送されるように構成されている。
【００２７】
レコーダ３は、受信したテレビジョン信号に基づいて、映像を録画するように構成されている。また、ＳＴＢ４は、ケーブルテレビ放送や衛星放送などの放送信号を受信してＴＶ１で視聴可能な信号に変換するように構成されている。
【００２８】
次に、図４および図５を参照して、ＢＤプレイヤー２およびＴＶ１間のデータの伝送について説明する。
【００２９】
図４に示すように、ＴＶ１とＢＤプレイヤー２とは、ＨＤＭＩ規格のケーブル５により接続されている。ケーブル５は、４本のＴＭＤＳ伝送路５１〜５４と、ＨＥＣ伝送路５５と、ＣＥＣ（Ｃｏｎｓｕｍｅｒ  Ｅｌｅｃｔｒｏｎｉｃｓ  Ｃｏｎｔｒｏｌ）伝送路５６とを含む。なお、ＴＭＤＳ伝送路５１〜５４は、本発明の「第１伝送路」の一例であり、ＨＥＣ伝送路５５は、本発明の「第２伝送路」の一例である。
【００３０】
ＴＭＤＳ伝送路５１〜５３は、映像データおよび音声データを伝送するように構成されている。また、ＴＭＤＳ伝送路５４は、ピクセルクロックを伝送するように構成されている。また、ＴＭＤＳ伝送路５１〜５４は、ＢＤプレイヤー２からＴＶ１に一方通行でデータを伝送可能に構成されている。また、ＴＭＤＳ伝送路５１〜５４は、４９５０Ｍｂｐｓの速度でデータを伝送可能に構成されている。映像データおよび音声データを伝送するＴＭＤＳ伝送路５１〜５３は、図５に示すようなライン構成およびピクセル構成で映像データおよび音声データが伝送される。具体的には、合計５２５ライン×８５８ピクセルのデータに、アクティブビデオ区間６１（４８０ライン×７２０ピクセル）と、アクティブビデオ区間６１以外の４５ラインの垂直ブランキング期間および１３８ピクセルの水平ブランキング期間とが含まれている。映像データは、ＢＤプレイヤー２の制御部２１により、アクティブビデオ区間６１で伝送されるように構成されている。また、音声データは、ＢＤプレイヤー２の制御部２１により、垂直ブランキング期間および水平ブランキング期間に含まれるデータアイランド区間６２のうちの一部で伝送されるように構成されている。また、インターネットを介して取得されたデータの一部は、ＢＤプレイヤー２の制御部２１により、データアイランド区間６２の音声データが伝送される上記一部以外の部分において伝送されるように構成されている。
【００３１】
ＨＥＣ伝送路５５は、イーサネット規格に対応しておりインターネットを介して取得されたデータを伝送可能に構成されている。また、ＨＥＣ伝送路５５は、ＴＶ１とＢＤプレイヤー２とで双方向にデータを伝送可能に構成されている。また、ＨＥＣ伝送路５５は、１００Ｍｂｐｓの速度でデータを伝送可能に構成されている。つまり、ＴＭＤＳ伝送路５１〜５４は、ＨＥＣ伝送路５５よりも速い速度でデータを伝送可能に構成されている。これにより、ＴＶ１は、ＬＡＮ通信部１３を介してインターネットに接続されていなくても、ＨＤＭＩ通信部１２によりインターネットを介してデータを取得することが可能である。
【００３２】
ＣＥＣ伝送路５６は、機器間を制御するための信号を伝送可能に構成されている。また、ＣＥＣ伝送路５５は、ＴＶ１とＢＤプレイヤー２とで双方向に信号を伝送可能に構成されている。
【００３３】
本実施形態では、上記のように、ＢＤプレイヤー２が、インターネットを介して取得したデータをＴＶ１に伝送する際に、インターネットを介して取得したデータの一部をＨＥＣ伝送路５５で伝送するとともに、上記一部以外のデータをＴＭＤＳ伝送路５１〜５４で伝送するように構成することによって、インターネットを介して取得されたデータをＨＥＣ伝送路５５とＴＭＤＳ伝送路５１〜５４とに分散して伝送することができるので、ＨＥＣ伝送路５５のみで伝送する場合に比べて、インターネットを介して取得されたデータの伝送速度を向上させることができる。
【００３４】
また、本実施形態では、ＢＤプレイヤー２を、インターネット介して取得したデータをＴＶ１に伝送する際に、インターネットを介して取得したデータの一部をＨＥＣ伝送路５５で伝送するとともに、上記一部以外のデータをＴＭＤＳ伝送路５１〜５４で音声データおよび映像データと並行して伝送するように構成することによって、ＴＭＤＳ伝送路５１〜５４で音声データおよび映像データを伝送している場合でも、インターネットを介して取得されたデータをＨＥＣ伝送路５５とＴＭＤＳ伝送路５１〜５４とに分散して伝送することができるので、インターネットを介して取得されたデータの伝送速度を向上させることができる。
【００３５】
また、本実施形態では、ＢＤプレイヤー２を、インターネットを介して取得したデータをＴＶ１に伝送する際に、インターネットを介して取得したデータの一部をＨＥＣ伝送路５５で伝送するとともに、上記一部以外のデータをＴＭＤＳ伝送路５１〜５４のブランキング期間で伝送するように構成することによって、ＴＭＤＳ伝送路５１〜５４で映像データが伝送されていないブランキング期間にＴＭＤＳ伝送路５１〜５４を利用することができるので、ＴＭＤＳ伝送路５１〜５４で音声データおよび映像データを伝送している場合でも、容易に上記一部以外のデータをＴＭＤＳ伝送路５１〜５４で音声データおよび映像データと並行して伝送することができる。また、インターネットを介して取得した映像に関するデータをストリーミング再生する場合でも、伝送速度を向上させることができるので、高画質で再生表示させることができる。また、伝送速度が低いことに起因して画像が停止状態になることも抑制することができるので、スムーズにストリーミング再生を行うことができる。
【００３６】
また、本実施形態では、インターネットを介して取得されたデータは、ＴＶ１のプログラムの更新に関するデータを含むとともに、ＢＤプレイヤー２を、ＴＶ１にインターネットを介して取得したデータの一部をＨＥＣ伝送路５５で伝送するとともに、上記一部以外のデータをＴＭＤＳ伝送路５１〜５４で伝送するように構成することによって、ＢＤプレイヤー２でインターネットを介して取得されたＴＶ１のプログラムの更新に関するデータを、速やかにＴＶ１に伝送することができる。
【００３７】
また、本実施形態では、ＴＭＤＳ伝送路５１〜５４を、ＨＥＣ伝送路５５よりも速い速度でデータを伝送可能に構成するとともに、ＢＤプレイヤー２を、インターネットを介して取得したデータをＴＶ１に伝送する際に、インターネットを介して取得したデータの一部をＨＥＣ伝送路５５で伝送するとともに、上記一部以外のデータをＴＭＤＳ伝送路５１〜５４で伝送するように構成することによって、インターネットを介して取得されたデータを伝送する際に、ＨＥＣ伝送路５５と、ＨＥＣ伝送路５５よりも速い速度でデータを伝送可能なＴＭＤＳ伝送路５１〜５４とに分散して伝送することができるので、伝送速度を効果的に向上させることができる。
【００３８】
また、本実施形態では、ＨＤＭＩ規格のインターフェース規格を介してＴＶ１とＢＤプレイヤー２とを接続するとともに、４本のＴＭＤＳ伝送路５１〜５４を設け、ＨＥＣ伝送路５５を、イーサネット規格に対応させて、インターネットを介して取得されたデータを伝送可能に構成することによって、ＨＤＭＩ規格に対応したＢＤプレイヤー２とＴＶ１との間で、音声データ、映像データのみならずイーサネット規格に対応したデータを容易に伝送することができるとともに、インターネットを介して取得されたイーサネット規格に対応したデータの伝送速度を向上させることができる。
【００３９】
なお、今回開示された実施形態は、すべての点で例示であって制限的なものではないと考えられるべきである。本発明の範囲は、上記した実施形態の説明ではなく特許請求の範囲によって示され、さらに特許請求の範囲と均等の意味および範囲内でのすべての変更が含まれる。
【００４０】
たとえば、上記実施形態では、本発明の第１映像機器の一例としてＢＤプレイヤーを示し、本発明の第２映像機器の一例としてＴＶを示したが、本発明はこれに限られない。本発明は、ＢＤプレイヤー以外の映像機器を第１映像機器に適用してもよいし、ＴＶ以外の映像機器を第２映像機器に適用してもよい。
【００４１】
また、上記実施形態では、第１伝送路としてのＴＭＤＳ伝送路５１〜５４は、第１映像機器としてのＢＤプレイヤー２から第２映像機器としてのＴＶ１に一方通行でデータを伝送可能に構成されている例を示したが、本発明はこれに限られない。本発明では、第１伝送路は、第１映像機器と第２映像機器機器とで双方向にデータを伝送可能に構成されていてもよい。
【００４２】
また、上記実施形態では、第１映像機器としてのＢＤプレイヤー２と第２映像機器としてのＴＶ１とを、有線のケーブルを介して接続する例を示したが、本発明はこれに限られない。本発明では、第１映像機器と第２映像機器とを無線のインターフェース規格により接続してもよい。
【００４３】
また、上記実施形態では、第２伝送路は、イーサネット規格に対応しているＨＥＣ伝送路５５である例を示したが、本発明はこれに限られない。本発明では、第２伝送路は、さらにＡＲＣ（Ａｕｄｉｏ  Ｒｅｔｕｒｎ  Ｃｈａｎｎｅｌ）規格に対応しているＨＥＡＣ（ＨＤＭＩ  Ｅｔｈｅｒｎｅｔ  ａｎｄ  Ａｕｄｉｏ  ｒｅｔｕｒｎ  Ｃｈａｎｎｅｌ）伝送路でもよい。
【００４４】
また、上記実施形態では、第１伝送路は、４本のＴＭＤＳ伝送路５１〜５４である例を示したが、本発明はこれに限られない。本発明では、第１伝送路は、４本以外の本数であってもよい。
【００４５】
また、上記実施形態では、インターフェース規格は、ＨＤＭＩ規格である例を示したが、本発明はこれに限られない。本発明では、インターフェース規格は、音声データおよび映像データを伝送可能な第１伝送路と、外部ネットワークを介して取得されたデータを伝送可能な第２伝送路とを含むインターフェース規格であれば、ＨＤＭＩ規格以外でもよい。
【符号の説明】
【００４６】
１    ＴＶ（第２映像機器）          
２    ＢＤプレイヤー（第１映像機器）
１２  ＨＤＭＩ通信部（通信部）
２１  制御部
２２  ＨＤＭＩ通信部（通信部）
５１、５２、５３、５４  ＴＭＤＳ伝送路（第１伝送路）
５５  ＨＥＣ伝送路（第２伝送路）
１００  映像システム
【図１】
2012235241.tif 000003
【図２】
2012235241.tif 000004
【図３】
2012235241.tif 000005
【図４】
2012235241.tif 000006
【図５】
2012235241.tif 000007